(57)【特許請求の範囲】
【請求項１】
前面に開口する断熱壁内に陳列室を構成し、この陳列室の前面開口には冷気エアーカーテンを形成すると共に、前記断熱壁の下方には圧縮機、凝縮器及び凝縮器用送風機などが設置された機械室を構成して成る低温ショーケースにおいて、
前記陳列室の前面開口下部に前方に突出して取り付けられたテーブルと、前記機械室内に構成され、前記機械室の前上部と前記テーブル下面とを連通して、前記凝縮器用送風機から吐出された空気を前記テーブル下面に案内する前部通路を備えたことを特徴とする低温ショーケース。
【請求項２】
機械室の前面を開閉自在に閉塞するパネルと、このパネルの下部に形成された吸気口と、断熱壁の後面に形成され、前記機械室の後上部と前記断熱壁の上方とを連通する背面排気ダクトと、前記機械室の後下部に形成された排気口とを備え、前部通路は、前記パネルの上部と断熱壁間に形成されていることを特徴とする請求項１の低温ショーケース。
【発明の詳細な説明】
【０００１】
【発明の属する技術分野】
本発明は、前面に開口する断熱壁内に陳列室を構成し、この陳列室の前面開口下部に前方に突出するテーブルを設けた低温ショーケースに関するものである。
【０００２】
【従来の技術】
近年、店舗においてドリンク剤などを陳列販売するための低温ショーケースにおいては、前面に開口する陳列室の当該前面開口下部にテーブルを設けたものが開発されている。係るテーブルを備えることにより、顧客などは陳列室の棚上から取り出したドリンク剤などを一時テーブル上に載置して置くことができるようになり、極めて利便性に富んだものとなる。
【０００３】
【発明が解決しようとする課題】
しかしながら、陳列室の開口下部にテーブルが設けられるため、テーブルが陳列室からの冷却作用を受けて結露が生ずる問題があった。そのため、顧客の被服どを濡らしてしまう問題が生じると共に、係るテーブル下方の断熱壁前面においても、テーブルが取り付けられることにより空気の流通が遮断されるため、テーブル下方の断熱壁の前面にも結露が生じる問題があった。
【０００４】
本発明は係る技術的状況に鑑み、陳列室の前面開口下部にテーブルを形成した低温ショーケースにおいて、当該テーブルへの結露発生を効果的に防止することを目的とする。
【０００５】
【課題を解決するための手段】
本発明の低温ショーケースは、前面に開口する断熱壁内に陳列室を構成し、この陳列室の前面開口には冷気エアーカーテンを形成すると共に、断熱壁の下方には圧縮機、凝縮器及び凝縮器用送風機などが設置された機械室を構成して成るものであって、陳列室の前面開口下部に前方に突出して取り付けられたテーブルと、機械室内に構成され、機械室の前上部とテーブル下面とを連通して、凝縮器用送風機から吐出された空気をテーブル下面に案内する前部通路を備えたことを特徴とする。
【０００６】
本発明によれば、前面に開口する断熱壁内に陳列室を構成し、この陳列室の前面開口には冷気エアーカーテンを形成すると共に、断熱壁の下方には圧縮機、凝縮器及び凝縮器用送風機などが設置された機械室を構成して成る低温ショーケースにおいて、陳列室の前面開口下部に前方に突出して取り付けられたテーブルと、機械室内に構成され、機械室の前上部とテーブル下面とを連通して、凝縮器用送風機から吐出された空気をテーブル下面に案内する前部通路を構成したので、凝縮器用送風機から吐出されて機械室内にて暖められた暖気を、前部通路からテーブル下面に案内することができるようになる。
【０００７】
これにより、テーブル表面への結露の発生を防止若しくは抑制することができるようになる。また、前部通路は機械室の前上部とテーブル下面とを連通するので、機械室内上部の暖気を円滑にテーブル下面に案内することができるようになると共に、暖気をテーブル表面側に直接案内するのでは無く、テーブル下面に案内するようにしているので、特に、陳列室の前面開口に冷気エアーカーテンを形成する低温ショーケースにおいては、暖気が冷気エアーカーテンに巻き込まれて陳列室内の冷却に悪影響を与える問題も生じないものである。
【０００８】
請求項２の発明の低温ショーケースは、上記に加えて、機械室の前面を開閉自在に閉塞するパネルと、このパネルの下部に形成された吸気口と、断熱壁の後面に形成され、機械室の後上部と断熱壁の上方とを連通する背面排気ダクトと、機械室の後下部に形成された排気口とを備え、前部通路は、パネルの上部と断熱壁間に形成されていることを特徴とする。
【０００９】
請求項２の発明によれば、上記に加えて機械室の前面を開閉自在に閉塞するパネルの下部に吸気口を形成し、前部通路は、パネルの上部と断熱壁間に形成したので、パネルの上部と断熱壁間の暖気の流通によって、テーブル下方の断熱壁外面への結露の発生も防止若しくは抑制することができるようになる。
【００１０】
特に、断熱壁の後面に機械室の後上部と断熱壁の上方とを連通する背面排気ダクトを構成し、機械室の後下部には排気口を形成しているので、機械室内の廃熱を支障無く外部に放出しながら、機械室内の静圧を適度に維持し、前部通路への暖気の供給も確保することが可能となるものである。
【００１１】
【発明の実施の形態】
以下、図面に基づいて本発明の実施形態を詳述する。図１は本発明を適用した低温ショーケース１の斜視図、図２は同じく本発明を適用した低温ショーケース１の縦断側面図である。本発明の低温ショーケース１は、例えばスーパーマーケットやコンビニエンスストアなどに設置されるドリンク剤などを陳列するためものである。図１及び図２に示す如くこの低温ショーケース１は、断面略コ字状の断熱壁２と、この断熱壁２の両側に取り付けられた側板３、３とから本体が構成されている。そして、この断熱壁２の内側には間隔を存して仕切板４が取り付けられ、この仕切板４と断熱壁２間には冷気ダクト６が形成されている。
【００１２】
仕切板４の下端前方には底板７が断熱壁２の底壁２Ａとの間にダクト用の間隔を存して取り付けられており、これら仕切板４及び底板７の内側を陳列室８としている。また、陳列室８内には上下方向に複数段に渡って棚１７・・が架設されている。断熱壁２の前面開口９の上縁にはハニカム材１０が設けられた吐出口１１が形成されており、この吐出口１１は前記冷気ダクト６と連通している。そして、開口９の下縁には吸込口１２が形成されている。
【００１３】
一方、底板７下方には断熱壁２の底壁２Ａ上後に冷却装置の冷却器１５が設けられており、その前側には送風機１４が配設されている。この送風機１４が運転されると、陳列室８内の冷気は吸込口１２から冷気ダクト６内に吸い込まれ、冷却器１５と熱交換した後、冷気ダクト６内を上昇し、吐出口１１から開口９に向かって吐出される。そして、吸込口１２から吸い込まれ、冷気は再び送風機１４によって加速される。これにより、開口９には冷気エアーカーテンが形成され、このエアーカーテンの一部が陳列室８内に循環されて陳列室８内は冷却される。
【００１４】
他方、前記陳列室８の前面開口９の下部、即ち、前記断熱壁２の底壁２Ａ前端から底板７の高さまで立ち上がる断熱壁２の前壁２Ｂの上端には、前方に突出するテーブル５が左右に渡って取り付けられている。そして、このテーブル５は前記吸込口１２の前側から前壁２Ｂを経て更に前方に突出している。
【００１５】
また、前記断熱壁２の天壁２Ｄの前面には、取付板としての後エキスタートップ３５が取り付けられており、この後エキスタートップ３５の前面には夜間に陳列室８の前面開口９を被覆するためのナイトカバー３６及び蛍光灯から成る照明灯３７を収納するための収納部３８が構成されている。また、収納部３８の前側にはアクリル乳白半透明板からなる透光性のシェード３９が取り付けられている。このシェード３９の後方には前記照明灯３７が設けられ、シェード３９を後方より照明する。
【００１６】
更に、断熱壁２の開口９の両側にはシェード４０、４０が上下に渡って断熱壁２に取り付けられており、このシェード４０内には上下方向に蛍光灯から成る照明灯４１、４１が設けられている。
【００１７】
一方、断熱壁２の底壁２Ａ下方には機械室２３が形成されており、この機械室２３内には前記冷却装置を構成する圧縮機２５や、凝縮器２４、凝縮器用送風機２６がユニットベース３１上に設置されている。そして、断熱壁２の背壁２Ｃの後方には、機械室２３の下部から断熱壁２の上部に渡って背面パネル１３が所定の間隔を存して取り付けられ、断熱壁２と背面パネル１３間には、機械室２３の後上部と断熱壁２の上方を連通する背面排気ダクト１６が構成されている。
【００１８】
また、機械室２３の前面には、テーブル５の下方から機械室２３下部に渡ってパネル１８が取り付けられており、このパネル１８により機械室２３の前面は開閉自在に閉塞されている。そして、このパネル１８の下部には低温ショーケース１前方の空気（外気）を吸い込むための吸込口１９が形成されている。
【００１９】
このとき、パネル１８は断熱壁２の前壁２Ｂとの間に所定の間隔を存して取り付けられ、前壁２Ｂとパネル１８の間には上下に前部通路２０が形成されている。また、パネル１８の上端とテーブル５の下面との間においても予め間隔が形成されており、前部通路２０上部はこの間隔に連通し、下部は機械室２３内前上部に連通している。
【００２０】
更に、機械室２３の後下部には、図３に示す如き後固定金具２７が左右に渡って取り付けられている。この後固定金具２７の後縁には、前記背面パネル１３の下端内側に当接する当接面２８が立設されており、この当接面２８の下端は前方に略直角に折曲され、そこに水平面２９が形成されている。この水平面２９には複数の排気口３０・・が形成されている。
【００２１】
そして、この水平面２９の前端は下方に垂直に折曲された後、更に前方に向けて直角に折曲されている。そして、その前端は更に下方に向かって垂直に折曲され、そこに取付面３２が形成されている。この取付面３２には、前記ユニットベース３１に固定するための複数のネジ孔３３・・が形成されている。
【００２２】
係る後固定金具２７は、当接面２８を前記背面パネル１３の下端内側に当接させた後、取付面３２をユニットベース３１の後端に当接させ、後方より図示しないネジをネジ孔３３・・に挿通してユニットベース３１に螺合させることにより、低温ショーケース１の本体に取り付けられている。
【００２３】
以上の構成により、前記圧縮機２５及び凝縮器用送風機２６が運転されると、送風機２６は低温ショーケース１の前方の空気を前記パネル１８の吸込口１９から吸い込み、機械室２３内の凝縮器２４及び圧縮機２５を順次空冷する。そして、これら凝縮器２４や圧縮機２５により暖められた暖気は、図２に矢印で示す如く断熱壁２の背面に形成された背面排気ダクト１６及び機械室２３後方下部に取り付けられた後固定金具２７の排気口３０より外気に拡散される。
【００２４】
また、凝縮器用送風機２６から吐出された空気（暖気）の一部は、これら背面排気ダクト１６や排気口３０に入る以前に周囲壁に当たるため、機械室２３内の静圧が上昇する。これにより、暖気の一部は断熱壁２の前壁２Ｂ前側に形成された前部通路２０に入り、そこを上昇してテーブル５下面を経た後、外部に排出されるようになる。
【００２５】
この前部通路２０に流入した機械室２３内の暖気は、前記テーブル５の下面に案内される。これにより、テーブル５は暖められるため、陳列室８の前面開口９から漏洩する冷気による冷却効果によってテーブル５の表面に結露が発生する不都合を防止若しくは抑制することができるようになる。
【００２６】
また、前記前部通路２０は、前記パネル１８の上部と前記断熱壁２の前壁２Ｂとの間に形成されているため、前部通路２０内を機械室２３内の暖気が流通することにより、テーブル５の下方の前壁２Ｂ外面への結露の発生も防止若しくは抑制することができる。
【００２７】
ここで、断熱壁２の背面には機械室２３の後上部と断熱壁２の上方とを連通する背面排気ダクト１６を構成していると共に、機械室２３の後下部に取り付けられた後固定金具２７には、排気口３０を形成しているので、機械室２３内の静圧を適度に維持しつつ、機械室２３内の廃熱も支障無く外部に放出することができる。
【００２８】
【発明の効果】
以上詳述した如く本発明によれば、前面に開口する断熱壁内に陳列室を構成し、この陳列室の前面開口には冷気エアーカーテンを形成すると共に、断熱壁の下方には圧縮機、凝縮器及び凝縮器用送風機などが設置された機械室を構成して成る低温ショーケースにおいて、陳列室の前面開口下部に前方に突出して取り付けられたテーブルを設け、機械室内には、機械室の前上部とテーブル下面とを連通して、凝縮器用送風機から吐出された空気をテーブル下面に案内する前部通路を構成したので、凝縮器用送風機から吐出されて機械室内にて暖められた暖気を、前部通路からテーブル下面に案内することができるようになる。
【００２９】
これにより、テーブル表面への結露の発生を防止若しくは抑制することができるようになる。また、前部通路は機械室の前上部とテーブル下面とを連通するので、機械室内上部の暖気を円滑にテーブル下面に案内することができるようになると共に、暖気をテーブル表面側に直接案内するのでは無く、テーブル下面に案内するようにしているので、特に、陳列室の前面開口に冷気エアーカーテンを形成する低温ショーケースにおいては、暖気が冷気エアーカーテンに巻き込まれて陳列室内の冷却に悪影響を与える問題も生じないものである。
【００３０】
また、請求項２の発明によれば、上記に加えて機械室の前面を開閉自在に閉塞するパネルの下部に吸気口を形成し、前部通路は、パネルの上部と断熱壁間に形成したので、パネルの上部と断熱壁間の暖気の流通によって、テーブル下方の断熱壁外面への結露の発生も防止若しくは抑制することができるようになる。
【００３１】
特に、断熱壁の後面に機械室の後上部と断熱壁の上方とを連通する背面排気ダクトを構成し、機械室の後下部には排気口を形成しているので、機械室内の廃熱を支障無く外部に放出しながら、機械室内の静圧を適度に維持し、前部通路への暖気の供給も確保することが可能となるものである。
【図面の簡単な説明】
【図１】  本発明を適用した低温ショーケースの斜視図である。
【図２】  図１の低温ショーケースの縦断側面図である。
【図３】  図１の低温ショーケースの後固定金具の斜視図である。
【符号の説明】
１  低温ショーケース
２  断熱壁
２Ｂ  前壁
２Ｃ  背壁
５  テーブル
８  陳列室
９  前面開口
１６  背面排気ダクト
１８  パネル
１９  吸込口
２０  前部通路
２３  機械室
２４  凝縮器
２５  圧縮機
２６  凝縮器用送風機
２７  後固定金具
２８  当接面
２９  水平面
３０  排気口
【図１】
0003710954.tif 000002
【図２】
0003710954.tif 000003
【図３】
0003710954.tif 000004